【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
コンピュータシステムの少なくとも１つのプロセッサによって実行されると前記コンピュータシステムに複数のステップを行なわせる命令を有するプログラムであって、前記複数のステップは、
（ｉ）現在の請求周期において消費されたエネルギーについての総エネルギーコストを判定するために使用可能な現在の請求データ、および（ｉｉ）前の請求周期において消費されたエネルギーについての総エネルギーコストを判定するために使用可能な前の請求データを、インボイスデータベースから受信するステップと、
前記現在の請求データと前記前の請求データとで異なる値を有する変数を識別するステップとを含み、前記変数は、（ｉ）前記エネルギーについて課される季節的料金、（ｉｉ）前記エネルギーについて課される非季節的料金、または（ｉｉｉ）前記エネルギーについての課金を定義する料金プランを備え、前記複数のステップはさらに、
前記現在の請求データにおける前記変数の値を前記前の請求データにおける前記変数の値で修正し、前記前の請求データにおける前記変数の前記値に基づいて前記現在の請求周期についての仮説的エネルギーコストを判定するステップと、
前記現在の請求周期についてのエネルギーの前記総コストと前記仮説的エネルギーコストとの間のコスト差を判定するステップと、
エネルギーユーザのための個別化されたデータ構造を生成するステップとを含み、前記データ構造は、前記コスト差に対する前記変数の修正された前記値の個々の寄与を含み、前記複数のステップはさらに、
遠隔に位置するコンピュータ端末に、通信ネットワークを経たデータ構造へのアクセスを与え、前記遠隔に位置するコンピュータが前記個々の寄与の項目別表示を生成することを可能にするステップを含む、プログラム。
【請求項２】
前記変数は、前記データ構造に関連付けられた前記エネルギーユーザによって使用されたエネルギーの量とは独立している、請求項１に記載のプログラム。
【請求項３】
前記複数のステップは、さらに、
（ｉ）前記現在の請求周期において有効であるすべての季節と前記前の請求周期において有効であったすべての季節とを比較し、（ｉｉ）前記現在の請求周期において有効である前記季節のすべてが前記前の請求周期において有効であった前記季節のすべてとは一致しないと判定することによって、前記エネルギーについて課される前記季節的料金を前記変数として識別するステップと、
前記季節的料金を前記変数として識別するステップに応答して、前記コスト差の少なくとも一部を前記季節的料金の変更に帰するように前記データ構造を修正するステップとを行なわせるステップを含む、請求項１または２に記載のプログラム。
【請求項４】
前記複数のステップはさらに、
（ｉ）前記現在の請求周期において有効であるすべての季節が前記前の請求周期において有効であったすべての季節と一致すると判定し、（ｉｉ）前記現在の請求周期についての現在のエネルギー料金の開始日が前の請求周期の終了日よりも遅いと判定することによって、前記エネルギーについて課される前記非季節的料金を前記変数として識別するステップと、
前記非季節的料金を前記変数として識別するステップに応答して、前記コスト差の少なくとも一部を前記非季節的料金の変更に帰するように前記データ構造を修正するステップとを行なわせるステップを含む、請求項１〜３のいずれか１項に記載のプログラム。
【請求項５】
前記複数のステップは、さらに、
（ｉ）前記現在の請求周期において有効であるすべての料金プランと前記前の請求周期において有効であったすべての料金プランとを比較し、（ｉｉ）前記現在の請求周期において有効である前記料金プランのすべてが前記前の請求周期において有効であった前記料金プランのすべてとは一致しないと判定することによって、前記エネルギーについての前記課金を定義する前記料金プランを前記変数として識別するステップと、
前記コスト差の少なくとも一部を前記料金プランの変更に帰するように前記データ構造を修正するステップとを行なわせるステップを含む、請求項１〜３のいずれか１項に記載のプログラム。
【請求項６】
前記複数のステップは、さらに、
前記前の請求周期が前記現在の請求周期よりも日数が少ないと判定し、
前記現在の月次請求周期における日数に関して前記前の請求周期についてのエネルギー使用量を外挿し、
外挿された前記エネルギー使用量に基づいて前記仮説的エネルギーコストを予測することによって、
前記現在の請求周期についての前記仮説的エネルギーコストを判定するステップを行なわせるステップを含む、請求項１〜３のいずれか１項に記載のプログラム。
【請求項７】
前記複数のステップは、さらに、
前記現在の請求周期が前記前の請求周期よりも日数が少ないと判定し、
前記現在の請求周期における日数を上回る、前記前の請求周期における選択された日数を考慮から除外することにより、前記前の請求周期のエネルギー使用量を切り捨て、
前記前の請求周期の切り捨てられた前記エネルギー使用量に基づいて前記仮説的エネルギーコストを予測することによって、
前記現在の請求周期についての前記仮説的エネルギーコストを判定するステップを行なわせるステップを含む、請求項１〜６のいずれか１項に記載のプログラム。
【請求項８】
コンピューティングシステムであって、
少なくとも１つのメモリに接続された少なくとも１つのプロセッサと、
非一時的コンピュータ読取可能媒体上に格納され、命令を含む、エネルギー比較モジュールとを備え、前記命令は、前記少なくとも１つのプロセッサによって実行されると、前記コンピューティングシステムに複数のステップを行なわせ、前記複数のステップは、
（ｉ）現在の請求周期において消費されたエネルギーについての総エネルギーコストを判定するために使用可能な現在の請求データ、および（ｉｉ）前の請求周期において消費されたエネルギーについての総エネルギーコストを判定するために使用可能な前の請求データを、インボイスデータベースから受信するステップと、
前記現在の請求データと前記前の請求データとで異なる値を有する変数を識別するステップとを含み、前記変数は、（ｉ）前記エネルギーについて課される季節的料金、（ｉｉ）前記エネルギーについて課される非季節的料金、または（ｉｉｉ）前記エネルギーについての課金を定義する料金プランを備え、前記複数のステップはさらに、
前記現在の請求データにおける前記変数の値を前記前の請求データにおける前記変数の値で修正し、前記前の請求データにおける前記変数の前記値に基づいて前記現在の請求周期についての仮説的エネルギーコストを判定するステップと、
前記現在の請求周期についてのエネルギーの前記総コストと前記仮説的エネルギーコストとの間のコスト差を判定するステップと、
エネルギーユーザのための個別化されたデータ構造を生成するステップとを含み、前記データ構造は、前記コスト差に対する前記変数の修正された前記値の個々の寄与を含み、前記複数のステップはさらに、
遠隔に位置するコンピュータ端末に、通信ネットワークを経たデータ構造へのアクセスを与え、前記遠隔に位置するコンピュータが前記個々の寄与の項目別表示を生成することを可能にするステップを含む、コンピューティングシステム。
【請求項９】
前記変数は、前記データ構造に関連付けられた前記エネルギーユーザによって使用されたエネルギーの量とは独立している、請求項８に記載のコンピューティングシステム。
【請求項１０】
前記エネルギー比較モジュールはさらに、前記少なくとも１つのプロセッサによって実行されると、前記コンピューティングシステムに、
（ｉ）前記現在の請求周期において有効であるすべての季節と前記前の請求周期において有効であったすべての季節とを比較し、（ｉｉ）前記現在の請求周期において有効である前記季節のすべてが前記前の請求周期において有効であった前記季節のすべてとは一致しないと判定することによって、前記エネルギーについて課される前記季節的料金を前記変数として識別するステップと、
前記季節的料金を前記変数として識別するステップに応答して、前記コスト差の少なくとも一部を前記季節的料金の変更に帰するように前記データ構造を修正するステップと、
を行なわせる命令を含む、請求項８または９に記載のコンピューティングシステム。
【請求項１１】
前記エネルギー比較モジュールはさらに、前記少なくとも１つのプロセッサによって実行されると、前記コンピューティングシステムに、
（ｉ）前記現在の請求周期において有効であるすべての季節が前記前の請求周期において有効であったすべての季節と一致すると判定し、（ｉｉ）前記現在の請求周期についての現在のエネルギー料金の開始日が前の請求周期の終了日よりも遅いと判定することによって、前記エネルギーについて課される前記非季節的料金を前記変数として識別するステップと、
前記非季節的料金を前記変数として識別するステップに応答して、前記コスト差の少なくとも一部を前記非季節的料金の変更に帰するように前記データ構造を修正するステップと、
を行なわせる命令を含む、請求項８〜１０のいずれか１項に記載のコンピューティングシステム。
【請求項１２】
前記エネルギー比較モジュールはさらに、前記少なくとも１つのプロセッサによって実行されると、前記コンピューティングシステムに、
（ｉ）前記現在の請求周期において有効であるすべての料金プランと前記前の請求周期において有効であったすべての料金プランとを比較し、（ｉｉ）前記現在の請求周期において有効である前記料金プランのすべてが前記前の請求周期において有効であった前記料金プランのすべてとは一致しないと判定することによって、前記エネルギーについての前記課金を定義する前記料金プランを前記変数として識別するステップと、
前記コスト差の少なくとも一部を前記料金プランの変更に帰するように前記データ構造を修正するステップと、
を行なわせる命令を含む、請求項８〜１０のいずれか１項に記載のコンピューティングシステム。
【請求項１３】
前記エネルギー比較モジュールはさらに、前記少なくとも１つのプロセッサによって実行されると、前記コンピューティングシステムに、
前記前の請求周期が前記現在の請求周期よりも日数が少ないと判定し、
前記現在の月次請求周期における日数に関して前記前の請求周期についてのエネルギー使用量を外挿し、
外挿された前記エネルギー使用量に基づいて前記仮説的エネルギーコストを予測すること、
を行なわせる命令を含む、請求項８〜１２のいずれか１項に記載のコンピューティングシステム。
【請求項１４】
前記エネルギー比較モジュールはさらに、前記少なくとも１つのプロセッサによって実行されると、前記コンピューティングシステムに、
前記現在の請求周期が前記前の請求周期よりも日数が少ないと判定し、
前記現在の請求周期における日数を上回る、前記前の請求周期における選択された日数を考慮から除外することにより、前記前の請求周期のエネルギー使用量を切り捨て、
前記前の請求周期の切り捨てられた前記エネルギー使用量に基づいて前記仮説的エネルギーコストを予測すること、
を行なわせる命令を含む、請求項８〜１３のいずれか１項に記載のコンピューティングシステム。
【請求項１５】
少なくとも１つのプロセッサを備えるコンピューティングシステムにより実現される方法は、
（ｉ）現在の請求周期において消費されたエネルギーについての総エネルギーコストを判定するために使用可能な現在の請求データ、および（ｉｉ）前の請求周期において消費されたエネルギーについての総エネルギーコストを判定するために使用可能な前の請求データを、前記少なくとも１つのプロセッサがインボイスデータベースから受信するステップと、
前記少なくとも１つのプロセッサが、前記現在の請求データと前記前の請求データとで異なる値を有する変数を識別するステップとを備え、前記変数は、（ｉ）前記エネルギーについて課される季節的料金、（ｉｉ）前記エネルギーについて課される非季節的料金、または（ｉｉｉ）前記エネルギーについての課金を定義する料金プランを備え、前記方法はさらに、
前記少なくとも１つのプロセッサが、前記現在の請求データにおける前記変数の値を前記前の請求データにおける前記変数の値で修正し、前記前の請求データにおける前記変数の前記値に基づいて前記現在の請求周期についての仮説的エネルギーコストを判定するステップと、
前記少なくとも１つのプロセッサが、前記現在の請求周期についてのエネルギーの前記総コストと前記仮説的エネルギーコストとの間のコスト差を判定するステップと、
前記少なくとも１つのプロセッサが、エネルギーユーザのための個別化されたデータ構造を生成するステップとを備え、前記データ構造は、前記コスト差に対する前記変数の修正された前記値の個々の寄与を含み、前記方法はさらに、
前記少なくとも１つのプロセッサが、遠隔に位置するコンピュータ端末に、通信ネットワークを経たデータ構造へのアクセスを与え、前記遠隔に位置するコンピュータが前記個々の寄与の項目別表示を生成することを可能にするステップを備える、方法。